【手続補正書】
【提出日】平成25年3月29日(2013.3.29)
【手続補正１】
【補正対象書類名】明細書
【補正対象項目名】０００８
【補正方法】変更
【補正の内容】
【０００８】
上記目的を達成するため、本発明の第１の観点にかかる情報表示装置は、
撮像手段と、
外部装置との通信をおこなう通信手段と、
前記通信手段によって外部装置から取得されたＡＲデータであって、前記撮像手段によって撮像された撮像画像における被写体と照合するための照合画像と、前記重畳表示手段によって当該照合画像と照合された被写体が写った前記撮像画像に重畳表示させる重畳情報とを含んだＡＲデータに基づいて、前記撮像手段によって撮像された前記照合画像と照合された被写体が写った撮像画像にこの重畳画像に対応する重畳情報を重畳表示する重畳表示手段と、
状況の変化に応じたキー情報を逐次取得するキー情報取得手段と、
前記キー情報取得手段によって逐次取得されるキー情報を前記外部装置に逐次通知するキー情報通知手段と、
前記キー情報通知手段によるキー情報の通知に応じて前記外部装置から提供される識別情報であって、前記外部装置に記憶されている複数のＡＲデータを識別するための識別情報を取得する識別情報取得手段と、
前記キー情報と前記識別情報を対応づけて複数記録する第１のテーブルに、前記識別情報が取得される毎に新たな前記キー情報と前記識別情報を対応づけて前記第１のテーブルに追加して記録するキー情報記録手段と、
前記第１のテーブルに記録されているいずれかの識別情報を前記外部装置に通知する識別情報通知手段と、
前記識別情報通知手段による識別情報の通知に応じて前記外部装置から提供されるＡＲデータを取得するＡＲデータ取得手段と、
前記ＡＲデータ取得手段が取得したデータを用いて前記重畳表示手段による重畳表示をおこなうＡＲ表示制御手段と、を備える、
ことを特徴とする。
上記情報表示装置において、
レコード数が規定されている第２のテーブルに、前記ＡＲデータ取得手段が取得したＡＲデータを、前記第１のテーブルと対応づけて記録するＡＲデータ記録手段を、更に備え、
前記ＡＲ表示制御手段は、前記データ記録手段が記録したＡＲデータを用いて前記重畳表示をおこなう、
ことが望ましい。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
上記目的を達成するため、本発明の第２の観点にかかる情報表示方法は、
外部装置との通信をおこなう通信手段によって外部装置から取得されたＡＲデータであって、撮像手段によって撮像された撮像画像における被写体と照合するための照合画像と、前記重畳表示手段によって当該照合画像と照合された被写体が写った前記撮像画像に重畳表示させる重畳情報とを含んだＡＲデータに基づいて、前記撮像手段によって撮像された前記照合画像と照合された被写体が写った撮像画像にこの重畳画像に対応する重畳情報を重畳表示する重畳表示工程と、
状況の変化に応じたキー情報を逐次取得するキー情報取得工程と、
前記キー情報取得工程によって逐次取得されるキー情報を前記外部装置に逐次通知するキー情報通知工程と、
前記キー情報通知工程によるキー情報の通知に応じて前記外部装置から提供される識別情報であって、前記外部装置に記憶されている複数のＡＲデータを識別するための識別情報を取得する識別情報取得工程と、
前記キー情報と前記識別情報を対応づけて複数記録する第１のテーブルに、前記識別情報が取得される毎に新たな前記キー情報と前記識別情報を対応づけて前記第１のテーブルに追加して記録するキー情報記録工程と、
前記第１のテーブルに記録されているいずれかの識別情報を前記外部装置に通知する識別情報通知工程と、
前記識別情報通知工程による識別情報の通知に応じて前記外部装置から提供されるＡＲデータを取得するＡＲデータ取得工程と、
前記ＡＲデータ取得工程が取得したデータを用いて前記重畳表示工程による重畳表示をおこなうＡＲ表示制御工程と、を含む
ことを特徴とする。
上記目的を達成するため、本発明の第３の観点にかかるプログラムは、
撮像手段と外部装置との通信をおこなう通信手段を備えるコンピュータに、
前記通信手段によって外部装置から取得されたＡＲデータであって、前記撮像手段によって撮像された撮像画像における被写体と照合するための照合画像と、前記重畳表示手段によって当該照合画像と照合された被写体が写った前記撮像画像に重畳表示させる重畳情報とを含んだＡＲデータに基づいて、前記撮像手段によって撮像された前記照合画像と照合された被写体が写った撮像画像にこの重畳画像に対応する重畳情報を重畳表示する重畳表示機能、
状況の変化に応じたキー情報を逐次取得するキー情報取得機能、
前記キー情報取得機能によって逐次取得されるキー情報を前記外部装置に逐次通知するキー情報通知機能、
前記キー情報通知機能によるキー情報の通知に応じて前記外部装置から提供される識別情報であって、前記外部装置に記憶されている複数のＡＲデータを識別するための識別情報を取得する識別情報取得機能、
前記キー情報と前記識別情報を対応づけて複数記録する第１のテーブルに、前記識別情報が取得される毎に新たな前記キー情報と前記識別情報を対応づけて前記第１のテーブルに追加して記録するキー情報記録機能、
前記第１のテーブルに記録されているいずれかの識別情報を前記外部装置に通知する識別情報通知機能、
前記識別情報通知機能による識別情報の通知に応じて前記外部装置から提供されるＡＲデータを取得するＡＲデータ取得機能、
前記ＡＲデータ取得機能が取得したデータを用いて前記重畳表示機能による重畳表示をおこなうＡＲ表示制御機能、
を実現させることを特徴とする。
【手続補正７】
【補正対象書類名】特許請求の範囲
【補正対象項目名】全文
【補正方法】変更
【補正の内容】
【特許請求の範囲】
【請求項１】
撮像手段と、
外部装置との通信をおこなう通信手段と、
前記通信手段によって外部装置から取得されたＡＲデータであって、前記撮像手段によって撮像された撮像画像における被写体と照合するための照合画像と、前記重畳表示手段によって当該照合画像と照合された被写体が写った前記撮像画像に重畳表示させる重畳情報とを含んだＡＲデータに基づいて、前記撮像手段によって撮像された前記照合画像と照合された被写体が写った撮像画像にこの重畳画像に対応する重畳情報を重畳表示する重畳表示手段と、
状況の変化に応じたキー情報を逐次取得するキー情報取得手段と、
前記キー情報取得手段によって逐次取得されるキー情報を前記外部装置に逐次通知するキー情報通知手段と、
前記キー情報通知手段によるキー情報の通知に応じて前記外部装置から提供される識別情報であって、前記外部装置に記憶されている複数のＡＲデータを識別するための識別情報を取得する識別情報取得手段と、
前記キー情報と前記識別情報を対応づけて複数記録する第１のテーブルに、前記識別情報が取得される毎に新たな前記キー情報と前記識別情報を対応づけて前記第１のテーブルに追加して記録するキー情報記録手段と、
前記第１のテーブルに記録されているいずれかの識別情報を前記外部装置に通知する識別情報通知手段と、
前記識別情報通知手段による識別情報の通知に応じて前記外部装置から提供されるＡＲデータを取得するＡＲデータ取得手段と、
前記ＡＲデータ取得手段が取得したデータを用いて前記重畳表示手段による重畳表示をおこなうＡＲ表示制御手段と、を備える、
ことを特徴とする情報表示装置。
【請求項２】
レコード数が規定されている第２のテーブルに、前記ＡＲデータ取得手段が取得したＡＲデータを、前記第１のテーブルと対応づけて記録するＡＲデータ記録手段を、更に備え、
前記ＡＲ表示制御手段は、前記データ記録手段が記録したＡＲデータを用いて前記重畳表示をおこなう、
ことを特徴とする請求項１に記載の情報表示装置。
【請求項３】
外部装置との通信をおこなう通信手段によって外部装置から取得されたＡＲデータであって、撮像手段によって撮像された撮像画像における被写体と照合するための照合画像と、前記重畳表示手段によって当該照合画像と照合された被写体が写った前記撮像画像に重畳表示させる重畳情報とを含んだＡＲデータに基づいて、前記撮像手段によって撮像された前記照合画像と照合された被写体が写った撮像画像にこの重畳画像に対応する重畳情報を重畳表示する重畳表示工程と、
状況の変化に応じたキー情報を逐次取得するキー情報取得工程と、
前記キー情報取得工程によって逐次取得されるキー情報を前記外部装置に逐次通知するキー情報通知工程と、
前記キー情報通知工程によるキー情報の通知に応じて前記外部装置から提供される識別情報であって、前記外部装置に記憶されている複数のＡＲデータを識別するための識別情報を取得する識別情報取得工程と、
前記キー情報と前記識別情報を対応づけて複数記録する第１のテーブルに、前記識別情報が取得される毎に新たな前記キー情報と前記識別情報を対応づけて前記第１のテーブルに追加して記録するキー情報記録工程と、
前記第１のテーブルに記録されているいずれかの識別情報を前記外部装置に通知する識別情報通知工程と、
前記識別情報通知工程による識別情報の通知に応じて前記外部装置から提供されるＡＲデータを取得するＡＲデータ取得工程と、
前記ＡＲデータ取得工程が取得したデータを用いて前記重畳表示工程による重畳表示をおこなうＡＲ表示制御工程と、を含む
ことを特徴とする情報表示方法。
【請求項４】
撮像手段と外部装置との通信をおこなう通信手段を備えるコンピュータに、
前記通信手段によって外部装置から取得されたＡＲデータであって、前記撮像手段によって撮像された撮像画像における被写体と照合するための照合画像と、前記重畳表示手段によって当該照合画像と照合された被写体が写った前記撮像画像に重畳表示させる重畳情報とを含んだＡＲデータに基づいて、前記撮像手段によって撮像された前記照合画像と照合された被写体が写った撮像画像にこの重畳画像に対応する重畳情報を重畳表示する重畳表示機能、
状況の変化に応じたキー情報を逐次取得するキー情報取得機能、
前記キー情報取得機能によって逐次取得されるキー情報を前記外部装置に逐次通知するキー情報通知機能、
前記キー情報通知機能によるキー情報の通知に応じて前記外部装置から提供される識別情報であって、前記外部装置に記憶されている複数のＡＲデータを識別するための識別情報を取得する識別情報取得機能、
前記キー情報と前記識別情報を対応づけて複数記録する第１のテーブルに、前記識別情報が取得される毎に新たな前記キー情報と前記識別情報を対応づけて前記第１のテーブルに追加して記録するキー情報記録機能、
前記第１のテーブルに記録されているいずれかの識別情報を前記外部装置に通知する識別情報通知機能、
前記識別情報通知機能による識別情報の通知に応じて前記外部装置から提供されるＡＲデータを取得するＡＲデータ取得機能、
前記ＡＲデータ取得機能が取得したデータを用いて前記重畳表示機能による重畳表示をおこなうＡＲ表示制御機能、
を実現させるためのプログラム。